(57)【特許請求の範囲】
【請求項１】
携帯機器におけるディスプレイ部の自動スイング機構であって、
駆動ベルトを左右どちらの向きにも回転させることのできるベルト駆動プーリと、
前記ベルト駆動プーリを駆動するモータと、
長円穴に沿って上下動かつ左右に回転可能な回転輪上に固定された摩擦プーリを有するディスプレイ支持カムと、
前記摩擦プーリと接触しないように隙間をあけて外周に配置された駆動ベルトと、
前記摩擦プーリの両側に、非スイング動作時は前記駆動ベルトと接触しないように該駆動ベルトの外側に配置された押圧パッドとを備え、
いずれか一方の前記押圧パッドによって前記駆動ベルトが前記摩擦プーリに押しつけられると、該摩擦プーリが前記長円穴に沿って回転しながら上昇し、前記ディスプレイ部が、その下端を水平に移動しながら前記ベルト駆動プーリの回転方向にスイングすることを特徴とする自動スイング機構。
【請求項２】
前記摩擦プーリの両側に配置された前記押圧パッドは、一体で移動可能な押圧パッドフレームに固定され、排他的に前記駆動ベルトを前記摩擦プーリに押しつける構成からなることを特徴とする請求項１に記載の自動スイング機構。
【請求項３】
前記駆動ベルトの駆動源である前記ベルト駆動プーリと一体で動作するように設けられたピンが、回転時に、前記押圧パッドフレームの中央部に取り付けられた移動バネと接触することによって、前記押圧パッドが左右のどちらかに移動し、前記駆動ベルトを前記摩擦プーリに押しつけることを特徴とする請求項２に記載の自動スイング機構。
【請求項４】
前記押圧パッドは、前記駆動ベルトに接触しない中立位置で静止可能となるロック機構を有することを特徴とする請求項１乃至３のいずれかに記載の自動スイング機構。
【請求項５】
前記携帯機器における操作部の両側面に片手で操作可能なスイッチを備え、当該スイッチが押下された方向に、前記ディスプレイ部が自動的にスイングすることを特徴とする請求項１乃至４のいずれかに記載の自動スイング機構。
【請求項６】
前記携帯機器において起動するアプリケーションと連動して自動的にスイングするモードを備えたことを特徴とする請求項１乃至４のいずれかに記載の自動スイング機構。
【請求項７】
ディスプレイ部の自動スイング機構を備えた携帯機器であって、
前記自動スイング機構は、
駆動ベルトを左右どちらの向きにも回転させることのできるベルト駆動プーリと、
前記ベルト駆動プーリを駆動するモータと、
長円穴に沿って上下動かつ左右に回転可能な回転輪上に固定された摩擦プーリを有するディスプレイ支持カムと、
前記摩擦プーリと接触しないように隙間をあけて外周に配置された駆動ベルトと、
前記摩擦プーリの両側に、非スイング動作時は前記駆動ベルトと接触しないように該駆動ベルトの外側に配置された押圧パッドとを備え、
いずれか一方の前記押圧パッドによって前記駆動ベルトが前記摩擦プーリに押しつけられると、該摩擦プーリが前記長円穴に沿って回転しながら上昇し、前記ディスプレイ部が、その下端を水平に移動しながら前記ベルト駆動プーリの回転方向にスイングする構成としたことを特徴とする携帯機器。
【発明の詳細な説明】
【技術分野】
【０００１】
本発明は、携帯電話、スマートホン、携帯端末（ＰＤＡ：Personal Digital Assist ）等、小型ディスプレイを備えた携帯型機器におけるディスプレイの自動スイング技術に関する。
【背景技術】
【０００２】
従来、携帯電話においては、単なる電話機としての通話機能の他に、インターネットやメール、或いはカメラ機能を備え、さらに写真や動画撮影が行えるものがある。また、最近では、いわゆる「ワンセグ」と称されるデジタルＴＶ放送受信機能を備えるものも登場し、従来のアナログ電波よりもノイズが少ないため、移動時においてもノイズの少ない映像を鑑賞したり、さらには録画できるものまで一般に供されている。
【０００３】
このような携帯電話の環境下において、従来のような「タテ折り畳み式携帯電話」（ディスプレイがタテ長の状態で折り畳みされる）では、ディスプレイがタテ画面のため映像の表示範囲は限定され、広い画面で映像を鑑賞するには、携帯電話自体を横向きにして全画面表示等の操作を行うというような不都合さがある。
【０００４】
こうした問題を改善するために、ディスプレイを回転、あるいはスイング可能な構造にして、手動操作でディスプレイを９０度ヨコ向きにしたり、タテに戻したり、あるいは軸まわりに回転できる携帯電話が考案されている（例えば、特許文献１、２参照）。
【０００５】
しかしながら、片手で携帯電話を持っているため、もう一方の手で回転やスイングの動作を行うこととなり、携帯電話を持っていない方の手が荷物等でふさがっている場合は、身体の一部にディスプレイ部を押しつけてスイング、または復旧動作をさせなければならず、スイング動作をさせ難いという問題がある。
【特許文献１】特許第３３２２０２１号公報
【特許文献２】特開２００６−２１１５７６号公報
【発明の開示】
【発明が解決しようとする課題】
【０００６】
上述してきた問題を解決するため、本発明では、携帯機器を持っていない方の手がふさがっている場合においても、ディスプレイをスイング動作させたり、タテ位置への復旧動作が行いやすくするための自動スイング機構を提供する。
【課題を解決するための手段】
【０００７】
第一の発明は、携帯機器におけるディスプレイ部の自動スイング機構であって、駆動ベルトを左右どちらの向きにも回転させることのできるベルト駆動プーリと、前記ベルト駆動プーリを駆動するモータと、長円穴に沿って上下動かつ左右に回転可能な回転輪上に固定された摩擦プーリを有するディスプレイ支持カムと、前記摩擦プーリと接触しないように隙間をあけて外周に配置された駆動ベルトと、前記摩擦プーリの両側に、非スイング動作時は前記駆動ベルトと接触しないように該駆動ベルトの外側に配置された押圧パッドとを備え、いずれか一方の前記押圧パッドによって前記駆動ベルトが前記摩擦プーリに押しつけられると、該摩擦プーリが前記長円穴に沿って回転しながら上昇し、前記ディスプレイ部が、その下端を水平に移動しながら前記ベルト駆動プーリの回転方向にスイングすることを特徴とする自動スイング機構に関する。
【０００８】
すなわち、第一の発明によれば、タテ折り畳み式携帯電話などの携帯機器において、ディスプレイ部をベルトによって回転するプーリを有するカムの回転輪に固定させ、押圧パッドの摩擦プーリへの押しつけをきっかけに、モータ駆動により自動で該ディスプレイ部を長円穴に沿って上下動させるとともに左右に回転可能な構成とすることによって、片手でも楽にディスプレイ部を右あるいは左に水平にして、タテでは見にくい画像をヨコにして見ることが可能となる。
【０００９】
第二の発明は、前記摩擦プーリの両側に配置された前記押圧パッドは、一体で移動可能な押圧パッドフレームに固定され、排他的に前記駆動ベルトを前記摩擦プーリに押しつける構成からなることを特徴とする上記第一の発明に記載の自動スイング機構に関する。
【００１０】
すなわち、第二の発明によれば、左側または右側のどちらかの押圧パッドが排他的に摩擦プーリとの間に駆動ベルトを挟持する構成をとることによって、左右どちらかにディスプレイ部を水平スイングさせることができる。
【００１１】
第三の発明は、前記駆動ベルトの駆動源である前記ベルト駆動プーリと一体で動作するように設けられたピンが、回転時に、前記押圧パッドフレームの中央部に取り付けられた移動バネと接触することによって、前記押圧パッドが左右のどちらかに移動し、前記駆動ベルトを前記摩擦プーリに押しつけることを特徴とする上記第二の発明に記載の自動スイング機構に関する。
【００１２】
すなわち、第三の発明によれば、ウォームホイールなどの駆動ベルトの駆動源に設けた突起状のピンにより、押圧パッドを左右のどちらかに移動させて、駆動ベルトを摩擦プーリに押しつける構成をとることによって、ディスプレイ部をどちらか一方の側に水平スイングさせることができる。
【００１３】
第四の発明は、前記押圧パッドは、前記駆動ベルトに接触しない中立位置で静止可能となるロック機構を有することを特徴とする上記第一乃至第三の発明のいずれかに記載の自動スイング機構に関する。
【００１４】
すなわち、第四の発明によれば、駆動ベルトに接触しない中立位置において、押圧パッドの移動を静止するため、嵌め合い構造などによるロック機構を設ける構成とすることによって、非スイング時の正位置が容易に確保される。
【００１５】
第五の発明は、前記携帯機器における操作部の両側面に片手で操作可能なスイッチを備え、当該スイッチが押下された方向に、前記ディスプレイ部が自動的にスイングすることを特徴とする上記第一乃至第四の発明のいずれかに記載の自動スイング機構に関する。
【００１６】
すなわち、第五の発明によれば、押しボタンなどによるスイッチを操作部の両側面に配置することによって、片手がふさがっていても容易に左右のディスプレイのスイングが実現できる。
【００１７】
第六の発明は、前記携帯機器において起動するアプリケーションと連動して自動的にスイングするモードを備えたことを特徴とする上記第一乃至第四の発明のいずれかに記載の自動スイング機構に関する。
【００１８】
すなわち、第六の発明によれば、携帯機器にインストールされるアプリケーションの起動に合わせて、例えば、操作キーとの連動で、自動スイングモードとさせることが可能となる。これは、ワンセグによるＴＶ表示やカメラ撮影などに好適な機能を与える。
【発明の効果】
【００１９】
以上述べたように、本発明は，ディスプレイが左右にスイングまたは回転動作可能な携帯電話のような携帯機器において、ディスプレイのスイング動作をボタン操作等だけで自動的に行うことができるため、片手ですべての操作を完結できる。また、携帯機器に搭載される、例えば、ワンセグ受信、カメラ撮影、ＧＰＳ（Global Positioning System ：全地球測位システム）機能などと連動して表示を広くすることで利便性を向上できる。
【発明を実施するための最良の形態】
【００２０】
以下、図面にもとづいて本発明の実施形態を説明する。
【００２１】
図１は、本発明の実施の形態になる折り畳み式携帯電話の基本構造を示す。本例は、タテ方向に折り畳むことのできる、いわゆる「折り畳み式携帯電話」に適用した場合を例としている。「折り畳み式携帯電話」において、（ａ）は、閉じ状態を示し、（ｂ）は、ディスプレイ部タテ開き状態を示している。なお、閉じ状態（ａ）では、ディスプレイ部１裏面が露出している。
【００２２】
ディスプレイ部１と操作部２とが回転ヒンジ３で接続され、この回転ヒンジ３によってディスプレイ部１と操作部２との開閉動作が行われる。ディスプレイ部タテ開き状態（ｂ）では、非スイング時の正位置の開き状態を示しており、表示面１００を有するディスプレイ部１とキー操作面２００を有する操作部２がタテ長の開き状態となっている。
【００２３】
本発明では、操作部２の側面に、プッシュボタンなど片手操作が可能なスイッチが左右に取り付けられ、右または左のスイッチ２１０、２１１の押下にしたがって、ディスプレイ部１は、右または左に自動スイングし、ヨコ向きとなる。また、自動スイング機構部１０には、ディスプレイ部１を左右に回転させるため、後述する逆ハート型カム、ベルト駆動プーリ、駆動ベルト、ウォームホイール、およびモータからなる自動スイングヒンジモジュールが取り付けられている。
【００２４】
図２は、本発明の実施の形態になる折り畳み式携帯電話におけるスイッチ操作によるディスプレイ部の水平スイング例を示す図である。図に示すように、携帯電話の操作部２の両側面にスイング動作させるプッシュボタンなどのスイッチ２１０、２１１を設け、スイッチを押した方向にスイングするようにしている。
【００２５】
図２（ａ）は、右側面のスイッチ２１０によってディスプレイ部１が右スイングした状態、図２（ｂ）は、左側面のスイッチ２１１によってディスプレイ部１が左スイングした状態をそれぞれ示している。
【００２６】
ディスプレイ部１をタテ正位置に戻す場合には、戻したい方のスイッチを１回プッシュするなどの操作によって実現する。なお、スイッチは、誤動作を避けるため、好適には、指で強めに押すことによってＯＮになるように、多少窪みをつけておくと良い。
【００２７】
図３は、本発明の実施の形態になる折り畳み式携帯電話におけるアプリ連携によるディスプレイ部の水平スイング例を示す図である。本例は、携帯電話にインストールされたアプリケーションと連動して、操作部２のキー操作面２００のいずれかのキーボタンを対応付けた例を示している。そのボタンを押下すると、ユーザが起動したアプリケーションによって、ヨコ画面が最適の場合に自動でスイングするものである。
【００２８】
図３（ａ）では、ユーザが「ＴＶ」ボタン２２０を押すと、自動で右スイングしてワイド画面でワンセグ放送等の視聴ができる。また，図３（ｂ）では、「カメラ」ボタン２３０を押すと、自動で左スイングしてカメラが起動し、即座にワイドモード写真や動画の撮影ができるようになる。
【００２９】
また、別の例として、ヨコスクロールによるシューティングゲーム等、ヨコ画面にふさわしいアプリケーションが起動される場合には、例えば、画面のメニューボタンによる選択入力と連動させることによって、スイングした画面で最適な画面方向でプレイすることができる。
【００３０】
これらのスイング動作の自動ＯＮ／ＯＦＦ、スイング方向等は、ユーザが独自に設定可能としており、意図しない場面で携帯電話が勝手にスイング動作を行うことはない。
【００３１】
図４は、本発明の実施の形態になるディスプレイ自動スイング機構のＧＰＳ付き携帯電話への適用例を示す。本例は、ＧＰＳ（Global Positioning System ：全地球測位システム）機能を搭載した携帯電話に好適な例である。
【００３２】
図４（ａ）は、直進時及び直進距離が長い場合（正位置）、図４（ｂ）は、右折時（ディスプレイ部右スイング）の場合、および図４（ｃ）は、左折時（ディスプレイ部左スイング）の場合をそれぞれ示している。
【００３３】
携帯電話は、タテ長画面なので、タテ方向には地図が広く見渡せるが、ヨコ方向の表示範囲は狭い。例えば、車のダッシュボードスタンドに携帯電話を置いてナビゲーションシステムのごとく使用した場合、自己位置を表す自己位置マーカ１１０と進行方向１２０が示されているとする。ここで右折した場合、携帯電話の幅が狭いため、進行方向地図の見通しが悪くなる。そこで、本発明のディスプレイ自動スイング機構によって、進行方向に応じたスイング画面を実現する。つまり、自己位置の角度が変わったときの検知信号にしたがって、右折の場合は、右スイングして自己位置１１０が示され、進行方向１２０の地図見通しが格段に広く取れることとなる。そのまま直進距離が長い場合は、スイングが復帰し、進行方向１２０及び自己位置１１０で示すようになる。左折の場合も同じように、自動スイングし、進行方向１２０及び自己位置１１０が表示される。
【００３４】
なお、この機能は徒歩の場合でも使用可能であり、常に進行方向の見通しがよいように地図が表示されるので利便性が向上する。
【００３５】
つぎに、図５〜図１０を用いて、本発明の自動スイング機構の動作原理を説明する。
【００３６】
図５は、本発明の実施の形態になる自動スイングヒンジ機構におけるカムの動きを表す図（カム位置：最下部）である。本例は、スイングさせるディスプレイ部１を自動スイング機構部１１に取り付ける場合のディスプレイ取付カム面を示しており、ディスプレイ部１が非スイング状態にあるときの正位置にある場合（カム回転軸３０１が長円穴３０２の最下部に位置する）を示している。
【００３７】
ディスプレイ部１に取り付けられるカム面において、ディスプレイ部１は、ハートを１８０度回転させた形状のカム（以下、逆ハート型カムと呼ぶ）３００の表面に固定され、この時ディスプレイ部１はタテ位置にある。逆ハート型カム３００は、中空のカム回転軸３０１を有し、該カム回転軸３０１は、長円穴３０２に取り付けられているため、カムフレーム３０３に対し、回転かつ上下動が可能となる。
【００３８】
そして、逆ハート型カム３００が、カム案内軸３０４に沿って動くことによって、ディスプレイ部１の左右方向の水平可倒（９０度スイング動作）を可能にしている。該カム案内軸３０４の外側には、逆ハート型カム３００が、カム案内軸３０４から外れなくするため、逆ハート型カム３００の表面を覆うディスプレイ部１側に、外側レール（図示していない）が設けられている。また、逆ハート型カム３００のカム回転軸３０１は、図示せぬバネによって鉛直方向（折り畳みヒンジ方向）に押しつけられ、ディスプレイ部１の姿勢が通常はタテ方向に保持されている。
【００３９】
図６は、本発明の実施の形態になるディスプレイ自動スイング機構の動作を説明する図（カム位置：最下部）である。図６は、図５に示したディスプレイ取付カム面を裏面から見た図であり、ディスプレイ部１が非スイング状態にあるときの正位置にある場合を示している。
【００４０】
逆ハート型カム３００には、駆動ベルト４００によって回転できるように、配線のために穴の空いた摩擦プーリ４１０が取り付けてあり、駆動ベルト４００は、摩擦プーリ４１０を囲むように設置した４個の連れ周りプーリ４１１〜４１４と、回転駆動源となる下部に配置されたベルト駆動プーリ（ウォームホイール４２０の裏にかくれている）の５個で、一定のテンションを掛けて張られている。下部のベルト駆動プーリは、ウォームホイール４２０と同軸上で連結され、ウォームホイール４２０は、モータ４３０を左右の側面スイッチ２１０、２１１（図２参照）をトリガーとして回転を制御する駆動制御部４３１によって左右方向に回転せしめている。
【００４１】
図７は、本発明の実施の形態になるディスプレイ自動スイング機構の動作を説明する図（カム位置：中位置）である。本例は、図７の右側の押圧パッド４０１を動作させてディスプレイ部１を左スイングさせる場合を示しており、逆ハート型カム３００のカム回転軸３０１が、長円穴３０２の中位置に移動した状態を示している。
【００４２】
摩擦プーリ４１０に駆動ベルト４００を押しつけるための押圧パッド４０１、４０２は、非スイング時には、駆動ベルト４００と隙間を空けて左右対称に設置されている。また、押圧パッド４０１、４０２は、押圧パッドフレームに左右が連結され、左右方向のスライド動作ができるようになっている。つまり、押圧パッド４０１、４０２は、スイングバネの力によって、左右のどちらかが排他的に駆動ベルト４００を挟んで摩擦プーリ４１０に押しつけられる構造となっている。なお、上述した左右押圧パッド４０１の押圧パッドフレームへの取り付け、およびスイングバネの動作については、図１１、１２において後述する。
【００４３】
図７におけるスイング動作を説明すると、ディスプレイ部１をスイング（ヨコ倒し）させたい方向に、駆動制御部４３１によるモータ４３０駆動に連動してウォームホイール４２０を回転させると、ベルト駆動プーリが駆動ベルト４００を回転させるとともに、ウォームホイール４２０に設けたピン（後述する図１１の押圧パッド移動ピン４２１）が押さえ、パッドフレーム（図１１の押圧パッドフレーム４５０）を回転方向にスライドさせ、右側の押圧パッド４０１が、逆ハート型カム３００に取り付けた摩擦プーリ４１０と駆動ベルト４００を挟持する。そして、駆動ベルト４００の摩擦によって摩擦プーリ４１０は上方に移動し始める。
【００４４】
ここで、駆動ベルト４００の非駆動表面と押圧パッド４０１との摩擦力は、極めて小さい材料にて構成されている。一方、駆動ベルト４００と、ベルト駆動プーリ／逆ハート型カム３００の摩擦プーリ４１０との摩擦力は大きい。したがって、駆動ベルト４００の摩擦力によって摩擦プーリ４１０がカム案内軸３０４に沿って回転しながら上方に移動することとなる。
【００４５】
図８は、本発明の実施の形態になる自動スイングヒンジ機構におけるカムの動きを表す図（カム位置：中位置）である。図８は、図７の右側の押圧パッド４０１を動作させてディスプレイ部１を左スイングさせる場合の逆ハート型カム３００の動きを示しており、逆ハート型カム３００がカム案内軸３０４に沿って回転しつつ、長円穴３０２の中位置まで上昇している様子を示している。カム案内軸３０４が、逆ハート型カム３００の右側のふくらみ部分にかかった状態を示している。
【００４６】
図９は、本発明の実施の形態になるディスプレイ自動スイング機構の動作を説明する図（カム位置：最上部）である。移動が進行し、摩擦プーリ４１０が長円穴３０２の最上部まで上昇した状態を示している。また、図１０は、本発明の実施の形態になる自動スイングヒンジ機構におけるカムの動きを表す図（カム位置：最上部）であり、逆ハート型カム３００に取り付けた摩擦プーリ４１０が長円穴３０２の最上部まで上昇した位置でのカムの動きを示している。
【００４７】
図１０のように、逆ハート型カム３００のカム回転軸３０１が長円穴３０２の最上部まで上昇し、カム案内軸３０４が逆ハート 型カム３００のふくらみの頂点を越えると、カム回転軸３０１は、図にないカム押さえバネの力によってカム最下部に落ち、ディスプレイ部１は９０度傾くこととなる。
【００４８】
逆ハート型カム３００のカム回転軸３０１がカム最下部に落ちる際、図９において、逆ハート型カム３００とカム回転軸３０１で締結された摩擦プーリ４１０は、駆動ベルト４００に対して逆回転となるが、逆ハート型カム３００のカム押さえバネの力とディスプレイ部１の重さによって、摩擦プーリ４１０と駆動ベルト４００との間はスリップする。
【００４９】
なお、ディスプレイ部１の位相は、別手段（マグネットセンサ等）によって検知されるため、スイング終了と同時にモータ４３０もストップするよう制御される。
【００５０】
また、スイング動作中に、人が無理矢理ディスプレイ部１をスイングさせた場合は、駆動ベルト４００と摩擦プーリ４１０との滑りで吸収する。さらに、電動スイング機構を使わない場合は、もともと駆動ベルト４００が摩擦プーリ４１０に接触していないので、何ら問題ない。
【００５１】
図１１は、本発明の実施の形態になる押圧パッド移動機構の詳細図（その１：右パッド押圧時）を示す。また、図１２は、本発明の実施の形態になる押圧パッド移動機構の詳細図（その２：左パッド押圧時）を示す。押圧パッドの動きが左右で異なるだけであるので、以下では、図１１を用いて、右パッド押圧時の押圧パッド移動機構についてのみ詳述する。
【００５２】
図１１は、右側の押圧パッド４０１を動作させてディスプレイ部１をディスプレイ裏面からみて左スイングさせる場合を示しており、ウォームホイール４２０は左回転となる。一方、図１２は、左側の押圧パッド４０２を動作させてディスプレイ部１をディスプレイ裏面からみて右スイングさせる場合を示しており、ウォームホイール４２０は右回転となる。なお、図１１および図１２では、動作説明をしやすくするため、駆動ベルト４００及びモータ４３０は省略している。
【００５３】
以下に、押圧パッド移動機構の動作について説明する。
【００５４】
図１１に示すように、右左の押圧パッド４０１、４０２は、押圧パッドフレーム４５０で連結されており、カムフレーム３０３ｂに対して左右方向のスライド動作ができる構造になっている。さらに、押圧パッド４０１、４０２は、スイングバネ４４０の力によって、左右のどちらかが排他的に駆動ベルト４００を挟んで摩擦プーリ４１０に押しつけられる構造を有している。
【００５５】
また、ウォームホイール４２０の裏面には、点線で示したように押圧パッド移動ピン４２１が打ち込んである。この押圧パッド移動ピン４２１は、ウォームホイール４２０が回転する際に、押圧パッド４０１の連結部中心に設置された突起状の押圧パッド移動用バネ４０３に引っ掛かかる位置に設置されており、押圧パッド４０１、４０２の左右スライド動作を可能にしている。
【００５６】
スイングバネ４４０は、押圧パッドフレーム４５０に取り付けられた固定ピン４４１とカムフレーム３０３ｂに取り付けられた固定ピン４４２によって、その端部がバネ回転可能に固定されている。そして、回転時に、ウォームホイール４２０の裏面の押圧パッド移動ピン４２１が、押圧パッド移動用バネ４０３に触れると、図のように、スイングバネ４４０のテンションが左向きにかかり、押圧パッドフレーム４５０を左方向に移動させる。右と左のスイングでは、スイングバネ４４０は互いに逆位相で動作する。
【００５７】
さらに、駆動ベルト４００を摩擦プーリ４１０に押しつけない場合、スイングバネ４４０を中立点で保持する押圧パッドセンター停止バネ４０５が設けられ、押圧パッドセンター停止バネ４０５は、押圧パッド４０１が取り付けられている押圧パッドフレーム４０２から出ている突起物４０４と嵌合するようにしている。また、外力が加わると比較的簡単に嵌め合いが外れて移動できるように、逆三角形の凹凸構造となっている。このときの嵌合は、押圧パッド４０１が、駆動ベルト４００と接触しない中立点を保持している状態にある。
【００５８】
また、９０度傾いた状態のディスプレイ部１を正位置に戻す際は、ウォームホイール４２０を逆回転させればよく、逆側の押圧パッド４０１が、摩擦プーリ４１０に押しつけられてディスプレイ部１はタテ正位置に戻る。同様に、ディスプレイ部１が正位置に戻ったことは、マグネットセンサなどにより検知され、モータ４３０の回転を停止する。
【００５９】
また、ユーザが自動スイング動作中に、ディスプレイ部１をホールド、または強制スイングさせた場合、駆動ベルト４００と摩擦プーリ４１０間のスリップによって吸収されるため何ら問題を生じない。
【００６０】
以上述べてきた本発明の実施の態様は、以下の付記に示す通りである。
（付記１）  携帯機器におけるディスプレイ部の自動スイング機構であって、
駆動ベルトを左右どちらの向きにも回転させることのできるベルト駆動プーリと、
前記ベルト駆動プーリを駆動するモータと、
長円穴に沿って上下動かつ左右に回転可能な回転輪上に固定された摩擦プーリを有するディスプレイ支持カムと、
前記摩擦プーリと接触しないように隙間をあけて外周に配置された駆動ベルトと、
前記摩擦プーリの両側に、非スイング動作時は前記駆動ベルトと接触しないように該駆動ベルトの外側に配置された押圧パッドとを備え、
いずれか一方の前記押圧パッドによって前記駆動ベルトが前記摩擦プーリに押しつけられると、該摩擦プーリが前記長円穴に沿って回転しながら上昇し、前記ディスプレイ部が、その下端を水平に移動しながら前記ベルト駆動プーリの回転方向にスイングすることを特徴とする自動スイング機構。（1 ）
（付記２）  前記摩擦プーリの両側に配置された前記押圧パッドは、一体で移動可能な押圧パッドフレームに固定され、排他的に前記駆動ベルトを前記摩擦プーリに押しつける構成からなることを特徴とする付記１に記載の自動スイング機構。（２）
（付記３）  前記駆動ベルトの駆動源である前記ベルト駆動プーリと一体で動作するように設けられたピンが、回転時に、前記押圧パッドフレームの中央部に取り付けられた移動バネと接触することによって、前記押圧パッドが左右のどちらかに移動し、前記駆動ベルトを前記摩擦プーリに押しつけることを特徴とする付記２に記載の自動スイング機構。（３）
（付記４）  前記押圧パッドは、前記駆動ベルトに接触しない中立位置で静止可能となるロック機構を有することを特徴とする付記１乃至３のいずれかに記載の自動スイング機構。（４）
（付記５）  前記携帯機器における操作部の両側面に片手で操作可能なスイッチを備え、当該スイッチが押下された方向に前記ディスプレイ部が自動的にスイングすることを特徴とする付記１乃至４のいずれかに記載の自動スイング機構。（５）
（付記６）  前記携帯機器において起動するアプリケーションと連動して自動的にスイングするモードを備えたことを特徴とする付記１乃至４のいずれかに記載の自動スイング機構。（６）
（付記７）  自動スイングのモードをユーザが自在に設定できる制御機構を有することを特徴とする付記６に記載の自動スイング機構。
（付記８）  前記ディスプレイ部が自動スイング動作中に強制的にスイング動作を静止させても壊れないよう、前記摩擦プーリ、駆動ベルト、および押圧パッドが、低摩擦部材で構成されたことを特徴とする付記１乃至７のいずれかに記載の自動スイング機構。
（付記９）  前記携帯機器に搭載されたＧＰＳによる測位あるいは進行方向に応じて、自己位置及び進行方向の地図が見易い向きに自動スイングさせることを特徴とする付記１に記載の自動スイング機構。
（付記１０）  ディスプレイ部の自動スイング機構を備えた携帯機器であって、
前記自動スイング機構は、
駆動ベルトを左右どちらの向きにも回転させることのできるベルト駆動プーリと、
前記ベルト駆動プーリを駆動するモータと、
長円穴に沿って上下動かつ左右に回転可能な回転輪上に固定された摩擦プーリを有するディスプレイ支持カムと、
前記摩擦プーリと接触しないように隙間をあけて外周に配置された駆動ベルトと、
前記摩擦プーリの両側に、非スイング動作時は前記駆動ベルトと接触しないように該駆動ベルトの外側に配置された押圧パッドとを備え、
いずれか一方の前記押圧パッドによって前記駆動ベルトが前記摩擦プーリに押しつけられると、該摩擦プーリが前記長円穴に沿って回転しながら上昇し、前記ディスプレイ部が、その下端を水平に移動しながら前記ベルト駆動プーリの回転方向にスイングする構成としたことを特徴とする携帯機器。（７）
【図面の簡単な説明】
【００６１】
【図１】本発明の実施の形態になる折り畳み式携帯電話の基本構造を示す図である。
【図２】本発明の実施の形態になる折り畳み式携帯電話におけるスイッチ操作によるディスプレイ部の水平スイング例を示す図である。
【図３】本発明の実施の形態になる折り畳み式携帯電話におけるアプリ連携によるディスプレイ部の水平スイング例を示す図である。
【図４】本発明の実施の形態になるディスプレイ自動スイング機構のＧＰＳ付き携帯電話への適用例を示す図である。
【図５】本発明の実施の形態になる自動スイングヒンジ機構におけるカムの動きを表す図（カム位置：最下部）である。
【図６】本発明の実施の形態になるディスプレイ自動スイング機構の動作を説明する図（カム位置：最下部）である。
【図７】本発明の実施の形態になるディスプレイ自動スイング機構の動作を説明する図（カム位置：中位置）である。
【図８】本発明の実施の形態になる自動スイングヒンジ機構におけるカムの動きを表す図（カム位置：中位置）である。
【図９】本発明の実施の形態になるディスプレイ自動スイング機構の動作を説明する図（カム位置：最上部）である。
【図１０】本発明の実施の形態になる自動スイングヒンジ機構におけるカムの動きを表す図（カム位置：最上部）である。
【図１１】本発明の実施の形態になる押圧パッド移動機構の詳細図（その１：右パッド押圧時）である。
【図１２】本発明の実施の形態になる押圧パッド移動機構の詳細図（その２：左パッド押圧時）である。
【符号の説明】
【００６２】
１  ディスプレイ部
２  操作部
３  回転ヒンジ
１０  自動スイング機構部
１００  表示面
１１０  自己位置
１２０  進行方向
２００  キー操作面
２１０、２１１  スイッチ
２２０  ＴＶボタン
２３０  カメラボタン
３００  逆ハート型カム（ディスプレイ支持カム）
３０１  カム回転軸
３０２  長円穴
３０３ａ、ｂ  カムフレーム（ａ：カム面、ｂ：裏面）
３０４  カム案内軸
４００  駆動ベルト
４０１、４０２  押圧パッド
４０３  押圧パッド移動用バネ
４０４  突起物
４０５  押圧パッドセンタ停止バネ
４１０  摩擦プーリ
４１１、４１２、４１３、４１４  連れ周りプーリ
４２０  ウォームホイール
４２１  押圧パッド移動ピン
４３０  モータ
４３１  駆動制御部
４４０  スイングバネ
４４１、４４２  固定ピン
４５０  押圧パッドフレーム
【図１】
0004924463.tif 000002
【図２】
0004924463.tif 000003
【図３】
0004924463.tif 000004
【図４】
0004924463.tif 000005
【図５】
0004924463.tif 000006
【図６】
0004924463.tif 000007
【図７】
0004924463.tif 000008
【図８】
0004924463.tif 000009
【図９】
0004924463.tif 000010
【図１０】
0004924463.tif 000011
【図１１】
0004924463.tif 000012
【図１２】
0004924463.tif 000013